(57)【要約】【課題】衣類などの被洗濯物を洗濯した後に部屋干ししても、乾燥後の被洗濯物に生乾き臭が発生するのを抑制する。【解決手段】複数個の、金属マグネシウム（Ｍｇ）単体を５０重量％以上含有する粒子（マグネシウム粒子）１を、水を透過する網体で封入してなる本件発明の洗濯用洗浄補助用品を、洗濯用洗剤とともに洗濯機の洗濯槽に投入し被洗濯物を洗濯することにより、繊維製品に残存する汚れ自体を金属マグネシウム（Ｍｇ）単体の作用により減少させ、部屋干しした場合でも生乾き臭の発生を防止する。【選択図】図１
2014090895.tif 000002
【特許請求の範囲】
【請求項１】
複数個の、マグネシウム（Ｍｇ）を主成分とする粒子を、水を透過する網体で封入してなることを特徴とする洗濯用洗浄補助用品。
【請求項２】
粒子がマグネシウム（Ｍｇ）を実質的に１００重量％含有するものであることを特徴とする請求項１に記載の洗濯用洗浄補助用品。
【請求項３】
粒子の平均粒径が１．０〜９．０ｍｍであることを特徴とする請求項１又は２に記載の洗濯用洗浄補助用品。
【請求項４】
水を透過する網体がポリエステル繊維製であることを特徴とする請求項１〜３のいずれかに記載の洗濯用洗浄補助用品。
【請求項５】
水を透過する網体が取手を有することを特徴とする請求項１〜４のいずれかに記載の洗濯用洗浄補助用品。
【請求項６】
洗濯水１リットルに対し、総表面積が８〜１１ｃｍ2となる量で粒子が添加されることを特徴とする請求項１〜５のいずれかに記載の洗濯用洗浄補助用品。
【請求項７】
上記１〜６いずれかに記載の洗濯用洗浄補助用品を、洗濯用洗剤とともに洗濯機の洗濯槽に投入し、被洗濯物を洗濯することを特徴とする洗濯方法。
【発明の詳細な説明】
【技術分野】
【０００１】
本発明は、衣類などの繊維製品を洗濯した後に部屋干しした場合にも、乾燥後の繊維製品にいわゆる生乾き臭といわれる異臭（以下、「生乾き臭」という。）が発生するのを抑制するために、洗濯の際に洗濯用洗剤とともに使用する洗濯用洗浄補助用品及びこれを用いた洗濯方法に関するものである。
【背景技術】
【０００２】
衣類などの繊維製品を洗濯後に部屋干しした場合には、しばしば、乾燥後の繊維製品に生乾き臭が発生する。このような生乾き臭は、洗濯により除去しきれなかった皮脂や蛋白などの汚れ（以下、単に「汚れ」という。）に菌が作用して引き起こされるものと考えられている。
【０００３】
生乾き臭の発生を抑制するために、特許文献１には洗剤に抗菌剤を配合して用いる技術、特許文献２、３には柔軟剤に抗菌剤を配合して用いる技術が開示されている。また、発生した生乾き臭を消臭するために、特許文献４には抗菌剤を含有する消臭剤を用いる技術が開示されている。
【０００４】
一方、マグネシウムを含有する粒子を利用する技術として、特許文献５には、家庭用電気洗濯機を用いる洗濯において、マグネシウム１０〜４０重量％、鉄５〜２０重量％、カルシウム８〜３０重量％、珪素２５〜４０重量％をそれぞれ含有する洗濯石を用いることにより、洗剤量を低減するか、全く使用することなく、汚れを除去することができる技術が開示されている。また、特許文献６、７には、マグネシウム粒子を水に投入して、活性水素を含む水素水を製造する技術が開示されている。
【先行技術文献】
【特許文献】
【０００５】
【特許文献１】特開２００６−１６０８２２号公報
【特許文献２】特開２００１−３０３４４１号公報
【特許文献３】特開２００１−３０３４３９号公報
【特許文献４】特開２００１−０７０４２３号公報
【特許文献５】特開２００４−２３８６０２号公報
【特許文献６】特開２００８−１９４６０４号公報
【特許文献７】特開２０１２−０８２１１０号公報
【発明の概要】
【発明が解決しようとする課題】
【０００６】
生乾き臭の発生を防止するために、特許文献１〜３記載の発明では抗菌剤により菌の繁殖を抑制しており、また、特許文献４記載の発明では消臭剤により空間に漂う生乾き臭を消臭しているが、本発明の狙いは、これらとは異なり、生乾き臭が発生する根本原因である、洗濯後の繊維製品に残存する汚れ自体を、金属マグネシウムの作用により減少させることによって、生乾き臭の発生を防止しようとするものである。
【課題を解決するための手段】
【０００７】
衣類等の繊維製品の洗濯においては、洗濯用洗剤に含まれる、親水基及び親油基を有する界面活性剤の親油基が汚れに付き、親水基がこの汚れを水の中に引き離すことによって汚れが落とされるものであるが、本願発明者らは、マグネシウムと水との反応により発生する水素が、界面活性剤の汚れを落とす作用を促進させることを見出してこの発明をなし
たものである。
【発明の効果】
【０００８】
本発明においては、複数個の、マグネシウム（Ｍｇ）を主成分とする粒子を、水を透過する網体で封入してなる洗濯用洗浄補助用品を洗濯時に用いることにより、洗濯用洗剤に含まれる、界面活性剤の汚れを落とす作用を促進させて汚れ自体を減少することができるので、繊維製品を室内で自然乾燥させても、乾燥後の繊維製品に生乾き臭が発生することを防止できる。さらに、洗濯用洗剤に抗菌剤といった余分な成分を配合する必要がないため、経済的であり、また、過敏症の人の健康に影響を与えることも少なくなる。
【図面の簡単な説明】
【０００９】
【図１】図１は、本発明の洗濯用洗浄補助用品の第一の実施例を示す斜視図である。
【図２】図２は、本発明の洗濯用洗浄補助用品の第二の実施例を示す斜視図である。
【図３】図３は、図２で示した洗濯用洗浄補助用品から、外部網体及び縁布を外した状態を示す斜視図である。
【図４】図４は、図２で示した洗濯用洗浄補助用品の上下両面に設けられている外部網体を示す斜視図である。
【発明を実施するための形態】
【００１０】
本発明は、汚れ自体を減少させ、繊維製品を室内で自然乾燥させても、乾燥後の繊維製品に生乾き臭が発生することが防止できる洗濯用洗浄補助用品及びこれを用いた洗濯方法であって、具体的には、複数個の、マグネシウム（Ｍｇ）を主成分とする粒子（以下、「マグネシウム粒子」という。）を、水を透過する網体に封入してなる洗濯用洗浄補助用品及びこれを用いた洗濯方法に関するものである。
【００１１】
本発明者らは、洗濯液中の水素が界面活性剤の汚れを落とす作用を促進することを見出し、洗濯の際に洗濯液中に水素を発生させるべく、マグネシウム粒子を洗濯時に用いることを主旨とする本発明をなしたものである。
【００１２】
マグネシウムが水と反応して水素を発生する反応は、次の反応式で表される。
Ｍｇ＋２Ｈ2Ｏ→Ｈ2＋Ｍｇ(ＯＨ)2
【００１３】
この反応は、マグネシウムのイオン化傾向によって水との酸化還元反応が起こるために生じる反応であるが、マグネシウムはカルシウム、ナトリウムに比べてイオン化傾向が小さいので、マグネシウムは室温の水と比較的ゆっくりと反応して水素を発生する。
【００１４】
このようにして、洗濯の際に洗濯液中で発生した水素は、次のような働きにより、界面活性剤の汚れを落とす作用を促進するものと考えられる。
【００１５】
第一に、水素は原子径が非常に小さいため、洗濯液中に存在すると、衣類等の繊維製品の織り目深くまで界面活性剤を浸透させるように働くため、界面活性剤によって汚れが落とされる範囲が拡大できる。特に、繊維製品が極細の糸で編成されたものである場合には、この作用が顕著に発揮される。
【００１６】
第二に、水素は汚れを乳化させる働きがあるため、界面活性剤によって汚れが落とされる度合を大きくすることができる。
【００１７】
第三に、汚れは基本的に酸性のものが多いため、マグネシウム粒子を洗濯液に投入して洗濯液を弱アルカリ性とすると、上記特許文献５にも記載されているように、界面活性剤の汚れを落とす作用を促進することにもなる。
【００１８】
なお、特許文献５には、上記のように、家庭用電気洗濯機を用いる洗濯において、マグネシウム１０〜４０重量％、鉄５〜２０重量％、カルシウム８〜３０重量％、珪素２５〜４０重量％をそれぞれ含有する洗濯石（特許文献５の特許請求の範囲の請求項１）を用いることにより、洗剤量を低減するか、全く使用することなく、汚れを除去することができる技術が記載されているが、これは、上記特定の成分からなる洗濯石と接触した水が還元作用を有する弱アルカリ性の水に変化して、洗濯効果が得られること（特許文献５の段落［０００９］）に基づいた技術であり、マグネシウムなどの金属成分を含有する粒子の使用により、洗剤（界面活性剤）の洗濯効果を向上させるとういう点では本願発明と似ているものの、本願発明のような、マグネシウムの上記第一及び第二の働きに着目したものではないので、特許文献５に記載された技術は本願発明とは大きく相違するものである。
【００１９】
本発明の洗濯用洗浄補助用品に用いられるマグネシウム粒子の組成としては、上記のように、マグネシウムは室温の水と比較的ゆっくりと反応して水素を発生することから、水素の発生量を多くするため、マグネシウム（Ｍｇ）を比較的高い割合で含有するものが好ましい。
【００２０】
本発明の「マグネシウム（Ｍｇ）を主成分とする粒子」とは、マグネシウム（Ｍｇ）を比較的高い割合で含有する粒子を意味しており、具体的には、マグネシウム（Ｍｇ）を５０重量％以上含有するものが好ましく、８０重量％以上含有するものがより好ましく、実質的に１００重量％含有するものが最も好ましい（この「実質的に」とは、「現在一般に知られており、現場の生産ベースで採用される精製手段によっては、除去しきれない不純物を、マグネシウム粒子の成分からは除外して考えた場合」を意味する。）。
【００２１】
マグネシウム粒子が含有することができる、主成分のマグネシウム（Ｍｇ）以外の成分としては、
１）マグネシウム鉱石が含有していたり、マグネシウムの精錬、加工などの工程で随伴してくる、鉄（Ｆｅ）、アルミニウム（Ａｌ）、亜鉛（Ｚｎ）などの不純物
２）上記第一及び第二の水素発生に伴う作用、並びに上記第三の洗濯液を弱アルカリ性にする作用を阻害しない物質
が挙げられる。
【００２２】
本発明の洗濯用洗浄補助用品に用いられるマグネシウム粒子の平均粒径は、単位体積当たりの表面積を大きくして水素の発生量多くする観点からは小さいほど好ましいが、小さくするにしたがい粒子の強度が低下し、取り扱いも難しくなるため、製造及び使用上の観点から、平均粒径は１．０〜９．０ｍｍであることが好ましく、３．０〜７．０ｍｍであることがより好ましく、４．０〜６．０ｍｍであることが最も好ましい。
【００２３】
本発明の洗濯用洗浄補助用品は、複数個の、マグネシウム粒子を、水を透過する網体で封入したものであるので、使用時には洗濯槽に入れやすく、使用後には洗濯槽から取り出しやすいものとなっている。
【００２４】
この網体の素材は、耐水性があるものであれば、各種天然繊維、合成繊維を用いることができるが、強度が高く、使用後の乾燥が容易で、洗濯時に着色傾向の小さいポリエステル繊維を用いることが好ましい。
【００２５】
この網体自体の織り方としては、水を透過するものであれば各種の織り方が採用できる。また、網体によるマグネシウム粒子の封入手段としては、マグネシウム粒子が漏れ出さないものであれば各種の封入手段が採用できるが、洗濯に繰り返し使用しても、網体に穴が開いたり、縫製部が解けないよう、網体を複数層にする、縫製部に補強布を縫い付ける
ことが好ましい。また、網体に取手を取り付けておけば、使用後に洗濯槽から取り出したり、乾燥したりする場合に便利である。
【００２６】
本発明の洗濯用洗浄補助用品は、洗濯用洗剤とともに洗濯機の洗濯槽に投入して、被洗濯物の洗濯に用いられる。マグネシウム粒子の総表面積が大きいほど、上記第一から第三の界面活性剤の汚れを落とす作用を促進する効果が大きくなるが、実用上及び経済的観点から、洗濯水１リットルに対し、総表面積が８〜１１ｃｍ2となる量でマグネシウム粒子を用いることが好ましい。
【００２７】
本発明の洗濯用洗浄補助用品は、マグネシウム粒子が消費されて無くなってしまうまで、何度も繰り返し洗濯に使用することができる。
本発明の洗濯用洗浄補助用品に用いられるマグネシウム粒子は、溶融したマグネシウムを水中に滴下することなどにより、製造することができる。
【実施例】
【００２８】
以下に、実施例をあげて本発明を説明する。なお、本発明は、以下で説明する具体例に何ら限定されるものではなく、本発明と実質的に同一な構成を有し、かつ、同様な作用効果を奏しさえすれば、多様な変更が可能である。
【００２９】
図１に示す洗濯機用洗浄補助用品の第一の実施例は、網袋２内に複数個のマグネシウム粒子１を封入するとともに、網袋２の隅部に取手９を取り付けたものである。
【００３０】
この洗濯機用洗浄補助用品は次の手順で作製される。
１）１枚の長方形状の網体を長手方向に中央部で折り重ねる
２）２つの辺を縫製して網袋２を形成する（縫目は図示していない）
３）縫製していない辺を開き、その開口から袋体に複数個のマグネシウム粒子１を網袋２内に入れる
４）１枚の長方形状の布体を長手方向に中央部で折り重ね、その端部を本体の開口部に挿入した（これにより取手９を形成する）後、本体の開口部及び布体の端部を縫製するこの辺を縫製して（これにより網袋の縫目６が形成される）、複数個のマグネシウム粒子１を網袋２内に封入する
【００３１】
次に、図２に示す洗濯機用洗浄補助用品の第二の実施例は、網袋を２層（内部網体３及び外部網体４）にして補強するとともに、縁部に補強布５を縫い付けて縫製部を補強することにより、封入したマグネシウム粒子１が漏れ出しにくくしたものである。この補助用品では、補強布５の一端を縁部から外方向に延長することで、取手９を形成している。
【００３２】
この洗濯用洗浄補助用品は次の手順で作製される。
１）２枚の円形状の内部網体３の間に複数個のマグネシウム粒子１を配した後、内部網体３の縁部を縫製する（これにより内部網体の縫目７が形成される）
２）２枚の、内部網体３よりも大きな円形状の外部網体４を、上記１）で作製した物の上下に重ねる
３）長方形状の布を長手方向に中央部で折り、この折部の内側を外部網体縁部に沿わせて外部網体縁部全体を覆う（これにより補強布５を形成する）とともに、補強布の一端を外部網体縁部から外方向に延長する（これにより取手９を形成する）
４）外部網体縁部及び補強布を縫製する（補強布の縫目８が形成される）
【００３３】
［製造例］
本発明の洗濯用洗浄補助用品を以下のようにして製造した。
＜マグネシウム粒子の製造＞
溶融したマグネシウム（Ｍｇ）を水中に投入してマグネシウム粒子を製造し、篩い分けして、直径が４．８〜５．３ｍｍの範囲、平均重量が約０．１４ｇの略球状のマグネシウム粒子を得た。
【００３４】
このマグネシウム粒子の成分を分析した結果は、次のとおりであった。
マグネシウム（Ｍｇ）  ９９．９５０重量％、  鉄  （Ｆｅ）  ０．０１５重量％、
アルミニウム（Ａｌ）    ０．０２２重量％、  亜鉛（Ｚｎ）  ０．０１０重量％、
その他                  ０．００３重量％
【００３５】
＜洗濯洗浄補助用品の製造＞
上で得られたマグネシウム粒子５０ｇ（約３６０個）を用いて、第二の実施例（図２）の洗濯用洗浄補助用品（以下、「補助用品」という。）を製造した。この補助用品は、直径１３ｃｍの円盤形状であり、内部網体、外部網体及び補強布はポリエステル製である。
【００３６】
＜補助用品を用いた洗濯試験＞
本願発明の効果（繊維製品を室内で自然乾燥させても、乾燥後の繊維製品に生乾き臭が発生することを防止できる）を確認するため、１０人の女性テスターにこの補助用品を貸与して以下の条件でテスト（以下、「洗濯テスト」という。）を行った。
〇女性テスター各人が通常行っている洗濯方法（被洗濯物、洗濯用洗剤、洗濯機、洗濯条件など）でテストを行う。ただし、今回のテストにおいては、芳香剤、柔軟剤を洗濯用洗剤に添加しないこととする。
〇洗濯を、次の３つケースで行う。
＊ケース１：通常の洗濯方法で洗濯を行い、被洗濯物を天日干しして乾燥させる
＊ケース２：通常の洗濯方法で洗濯を行い、被洗濯物を部屋干しして乾燥させる
＊ケース３：洗濯用洗剤とともに補助用品を洗濯機の洗濯槽に投入する以外は通常の洗濯方法で洗濯を行い、被洗濯物を部屋干しして乾燥させる
〇臭いの評価は、各テスターが乾燥した洗濯物の臭いを嗅ぎ、次の４つ段階のどれに該当するかを選択することにより行う。
＊評価Ａ：ぜんぜん臭いがない
＊評価Ｂ：臭いがない
＊評価Ｃ：少し臭いがある
＊評価Ｄ：臭いがある
【００３７】
＜洗濯試験の評価結果＞
洗濯試験の評価結果を、下記表１にまとめた。
【００３８】
【表１】
2014090895.tif 000003
【００３９】
全体的にみると、ケース２の評価（Ｂ評価：２名、Ｃ評価：7名、Ｄ評価：１名）とケース３の評価（Ａ評価：５名、Ｂ評価：５名）との比較から、被洗濯物を部屋干しして乾燥させる場合、洗濯用洗剤とともに本発明の補助用品を洗濯機の洗濯槽に投入して洗濯を行えば、乾燥後の被洗濯物に臭いが発生することを防止できることは明らかである。
【００４０】
また、テスター毎にみても、ケース３の評価をケース２の評価より良いとした者は9名、同じとした者は1名であって、このことからも、被洗濯物を部屋干しして乾燥させる場合、洗濯用洗剤とともに本発明の補助用品を洗濯機の洗濯槽に投入して洗濯を行えば、乾燥後、被洗濯物に臭いが発生することを防止できることが確認できた。
【符号の説明】
【００４１】
１：マグネシウム粒子
２：網袋
３：内部網体
４：外部網体
５：補強布
６：網袋の縫目
７：内部網体の縫目
８：補強布の縫目
９：取手
【図１】
2014090895.tif 000004
【図２】
2014090895.tif 000005
【図３】
2014090895.tif 000006
【図４】
2014090895.tif 000007
【手続補正書】
【提出日】平成25年4月15日(2013.4.15)
【手続補正１】
【補正対象書類名】特許請求の範囲
【補正対象項目名】請求項１
【補正方法】変更
【補正の内容】
【請求項１】
複数個の、金属マグネシウム（Ｍｇ）単体を５０重量％以上含有する粒子を、水を透過する網体で封入してなることを特徴とする洗濯用洗浄補助用品。
【手続補正２】
【補正対象書類名】特許請求の範囲
【補正対象項目名】請求項２
【補正方法】変更
【補正の内容】
【請求項２】
粒子が金属マグネシウム（Ｍｇ）単体を実質的に１００重量％含有するものであることを特徴とする請求項１に記載の洗濯用洗浄補助用品。
【手続補正３】
【補正対象書類名】明細書
【補正対象項目名】０００６
【補正方法】変更
【補正の内容】
【０００６】
生乾き臭の発生を防止するために、特許文献１〜３記載の発明では抗菌剤により菌の繁殖を抑制しており、また、特許文献４記載の発明では消臭剤により空間に漂う生乾き臭を消臭しているが、本発明の狙いは、これらとは異なり、生乾き臭が発生する根本原因である、洗濯後の繊維製品に残存する汚れ自体を、金属マグネシウム（Ｍｇ）単体の作用により減少させることによって、生乾き臭の発生を防止しようとするものである。
【手続補正４】
【補正対象書類名】明細書
【補正対象項目名】０００７
【補正方法】変更
【補正の内容】
【０００７】
衣類等の繊維製品の洗濯においては、洗濯用洗剤に含まれる、親水基及び親油基を有する界面活性剤の親油基が汚れに付き、親水基がこの汚れを水の中に引き離すことによって汚れが落とされるものであるが、本願発明者らは、金属マグネシウム（Ｍｇ）単体と水との反応により発生する水素が、界面活性剤の汚れを落とす作用を促進させることを見出し
てこの発明をなしたものである。
【手続補正５】
【補正対象書類名】明細書
【補正対象項目名】０００８
【補正方法】変更
【補正の内容】
【０００８】
本発明においては、複数個の、金属マグネシウム（Ｍｇ）単体を５０重量％以上含有する粒子を、水を透過する網体で封入してなる洗濯用洗浄補助用品を洗濯時に用いることにより、洗濯用洗剤に含まれる、界面活性剤の汚れを落とす作用を促進させて汚れ自体を減少することができるので、繊維製品を室内で自然乾燥させても、乾燥後の繊維製品に生乾き臭が発生することを防止できる。さらに、洗濯用洗剤に抗菌剤といった余分な成分を配合する必要がないため、経済的であり、また、過敏症の人の健康に影響を与えることも少なくなる。
【手続補正６】
【補正対象書類名】明細書
【補正対象項目名】００１０
【補正方法】変更
【補正の内容】
【００１０】
本発明は、汚れ自体を減少させ、繊維製品を室内で自然乾燥させても、乾燥後の繊維製品に生乾き臭が発生することが防止できる洗濯用洗浄補助用品及びこれを用いた洗濯方法であって、具体的には、複数個の、金属マグネシウム（Ｍｇ）単体を５０重量％以上含有する粒子（以下、「マグネシウム粒子」という。）を、水を透過する網体に封入してなる洗濯用洗浄補助用品及びこれを用いた洗濯方法に関するものである。
【手続補正７】
【補正対象書類名】明細書
【補正対象項目名】００１２
【補正方法】変更
【補正の内容】
【００１２】
金属マグネシウム（Ｍｇ）単体が水と反応して水素を発生する反応は、次の反応式で表される。
Ｍｇ＋２Ｈ2Ｏ→Ｈ2＋Ｍｇ(ＯＨ)2
【手続補正８】
【補正対象書類名】明細書
【補正対象項目名】００１８
【補正方法】変更
【補正の内容】
【００１８】
なお、特許文献５には、上記のように、家庭用電気洗濯機を用いる洗濯において、マグネシウム１０〜４０重量％、鉄５〜２０重量％、カルシウム８〜３０重量％、珪素２５〜４０重量％をそれぞれ含有する洗濯石（特許文献５の特許請求の範囲の請求項１）を用いることにより、洗剤量を低減するか、全く使用することなく、汚れを除去することができる技術が記載されているが、これは、上記特定の成分からなる洗濯石と接触した水が還元作用を有する弱アルカリ性の水に変化して、洗濯効果が得られること（特許文献５の段落［０００９］）に基づいた技術であり、マグネシウムなどの金属成分を化合物として含有する粒子の使用により、洗剤（界面活性剤）の洗濯効果を向上させるとういう点では本願発明と似ているものの、本願発明のような、金属マグネシウム（Ｍｇ）単体の上記第一及び第二の働きに着目したものではないので、特許文献５に記載された技術は本願発明とは
大きく相違するものである。
【手続補正９】
【補正対象書類名】明細書
【補正対象項目名】００１９
【補正方法】変更
【補正の内容】
【００１９】
本発明の洗濯用洗浄補助用品に用いられるマグネシウム粒子の組成としては、上記のように、金属マグネシウム（Ｍｇ）単体は室温の水と比較的ゆっくりと反応して水素を発生することから、水素の発生量を多くするため、金属マグネシウム（Ｍｇ）単体を比較的高い割合で含有するものが好ましい。
【手続補正１０】
【補正対象書類名】明細書
【補正対象項目名】００２０
【補正方法】変更
【補正の内容】
【００２０】
本発明の「金属マグネシウム（Ｍｇ）単体を５０重量％以上含有する粒子」とは、金属マグネシウム（Ｍｇ）単体を比較的高い割合で含有する粒子を意味しており、具体的には、金属マグネシウム（Ｍｇ）単体を５０重量％以上含有するものであり、８０重量％以上含有するものが好ましく、実質的に１００重量％含有するものがより好ましい。（この「実質的に」とは、「現在一般に知られており、現場の生産ベースで採用される精製手段によっては、除去しきれない不純物を、マグネシウム粒子の成分からは除外して考えた場合」を意味する。）
【手続補正１１】
【補正対象書類名】明細書
【補正対象項目名】００２１
【補正方法】変更
【補正の内容】
【００２１】
マグネシウム粒子が含有することができる、主成分の金属マグネシウム（Ｍｇ）単体以外の成分としては、
１）マグネシウム鉱石が含有していたり、マグネシウムの精錬、加工などの工程で随伴してくる、鉄（Ｆｅ）、アルミニウム（Ａｌ）、亜鉛（Ｚｎ）などの不純物
２）上記第一及び第二の水素発生に伴う作用、並びに上記第三の洗濯液を弱アルカリ性にする作用を阻害しない物質
が挙げられる。
【手続補正１２】
【補正対象書類名】明細書
【補正対象項目名】００３３
【補正方法】変更
【補正の内容】
【００３３】
［製造例］
本発明の洗濯用洗浄補助用品を以下のようにして製造した。
＜マグネシウム粒子の製造＞
溶融した金属マグネシウム（Ｍｇ）単体を水中に投入してマグネシウム粒子を製造し、篩い分けして、直径が４．８〜５．３ｍｍの範囲、平均重量が約０．１４ｇの略球状のマグネシウム粒子を得た。